(57)【要約】【課題】無線親機が無線中継機との間の無線接続に用いる設定情報を変更した場合に、変更後の設定情報で無線中継機との無線接続を確立する。【解決手段】無線親機１は、制御部１ａと、自機を識別するための識別子と暗号化を行うための暗号化キーとを含む設定情報に基づき、無線中継機との無線通信を行う無線通信部１ｂと、を備える。制御部１ａは、上記設定情報の少なくとも一部の変更処理を実行した場合、上記変更処理の内容を上記無線中継機に送信し、変更処理された設定情報である変更設定情報に基づく上記無線中継機との無線接続を確立させる。【選択図】図１
2020099025.tif 000002
【特許請求の範囲】
【請求項１】
自機を識別するための識別子と暗号化を行うための暗号化キーとを含む設定情報に基づき、無線中継機との無線通信を行う無線通信部と、
前記設定情報の少なくとも一部の変更処理を実行した場合、前記変更処理の内容を前記無線中継機に送信し、前記変更処理された設定情報である変更設定情報に基づく前記無線中継機との無線接続を確立させる制御部と、
を備えた無線親機。
【請求項２】
前記無線通信部は、前記変更処理の内容の送信に対する応答として、前記無線中継機から一時的な設定情報による無線接続要求を受信し、
前記制御部は、前記無線接続要求に対する応答として、前記無線通信部に一時的な無線接続を確立させ、前記一時的な無線接続がなされた状態で前記無線通信部に前記無線中継機への前記変更設定情報の送信を実行させ、前記変更設定情報に基づく前記無線中継機との無線接続を確立させる、
請求項１に記載の無線親機。
【請求項３】
無線親機を識別する識別子と暗号化を行うための暗号化キーとを含む設定情報に基づき、前記無線親機との無線通信を行う中継機側無線通信部と、
前記中継機側無線通信部において前記無線親機から前記設定情報の少なくとも一部の変更処理の内容を受信した場合、前記設定情報を変更することで、前記変更処理された設定情報である変更設定情報に基づく前記無線親機との無線接続を確立させる中継機側制御部と、
を備えた、無線中継機。
【請求項４】
前記中継機側制御部は、前記中継機側無線通信部において前記無線親機から前記設定情報の少なくとも一部の変更処理の内容を受信した場合、一時的な設定情報による無線接続要求を前記中継機側無線通信部に送信させ、前記無線接続要求に対する応答として前記変更処理がなされた設定情報である変更設定情報を前記無線親機から受信した場合、前記変更設定情報に基づく前記無線親機との無線接続を確立させる、
請求項３に記載の無線中継機。
【請求項５】
前記中継機側制御部は、前記変更処理の内容が、以前に無線接続を確立した前記無線親機であることを示す情報を含んでいる場合に、前記無線接続要求を送信させる、
請求項４に記載の無線中継機。
【請求項６】
請求項１に記載の無線親機と、請求項３から５のいずれか１項に記載の無線中継機と、を備えた、無線通信システム。
【請求項７】
無線親機が、自機を識別するための識別子と暗号化を行うための暗号化キーとを含む設定情報に基づき、無線中継機との無線通信を行うステップと、
前記無線親機が、前記設定情報の少なくとも一部の変更処理を実行した場合、前記変更処理の内容を前記無線中継機に送信し、前記変更処理された設定情報である変更設定情報に基づく前記無線中継機との無線接続を確立させるステップと、
を備えた無線通信方法。
【請求項８】
無線中継機が、無線親機を識別する識別子と暗号化を行うための暗号化キーとを含む設定情報に基づき、前記無線親機との無線通信を行うステップと、
前記無線中継機が、前記無線親機から前記設定情報の少なくとも一部の変更処理の内容を受信した場合、前記設定情報を変更することで、前記変更処理された設定情報である変更設定情報に基づく前記無線親機との無線接続を確立させるステップと、
を備えた、無線通信方法。
【請求項９】
無線親機に備えられた制御コンピュータに、
自機を識別するための識別子と暗号化を行うための暗号化キーとを含む設定情報に基づき、無線中継機との無線通信を行うステップと、
前記設定情報の少なくとも一部の変更処理を実行した場合、前記変更処理の内容を前記無線中継機に送信し、前記変更処理された設定情報である変更設定情報に基づく前記無線中継機との無線接続を確立させるステップと、
を実行させるためのプログラム。
【請求項１０】
無線中継機に備えられた制御コンピュータに、
無線親機を識別する識別子と暗号化を行うための暗号化キーとを含む設定情報に基づき、前記無線親機との無線通信を行うステップと、
前記無線親機から前記設定情報の少なくとも一部の変更処理の内容を受信した場合、前記設定情報を変更することで、前記変更処理された設定情報である変更設定情報に基づく前記無線親機との無線接続を確立させるステップと、
を実行させるためのプログラム。
【発明の詳細な説明】
【技術分野】
【０００１】
本開示は、無線親機、無線中継機、無線通信システム、無線通信方法、及びプログラムに関する。
【背景技術】
【０００２】
無線ＬＡＮ（Local Area Network）システムにおいて、無線ＬＡＮ親機と無線接続するには、ＳＳＩＤ（Service Set Identifier）と暗号化キーのセットの情報が必須となっている。
【０００３】
昨今、セキュリティ上の懸念より、同一のＳＳＩＤと暗号化キーを長期間使用することは、あまり望ましくなく、定期的な変更が望ましいとされている。一方で、同じく昨今の無線ＬＡＮ技術の発達により、有線ＬＡＮ接続のように無線ＬＡＮで通信速度が出るようになったこともあり、宅内のネットワーク全てを無線ＬＡＮ接続で構成するようなネットワーク形態が増えている。その際、１台の無線ＬＡＮ親機では宅内全てに無線が届かないため、無線ＬＡＮ中継機の導入が近年進んでいる。このような背景より、無線ＬＡＮ親機と無線ＬＡＮ中継機とを含むネットワーク上で、セキュリティを向上させることが望まれる。
【０００４】
特許文献１には、子機との接続認証に用いられる情報の一部を秘匿状態とするステルス機能と、親機と子機との間で無線通信を中継する通信中継機能と、を有する無線通信装置（中継機）が記載されている。特許文献１に記載の中継機では、送信元機器のステルス機能が有効状態か無効状態かをモニタして、ステルス機能の有効状態／無効状態を示す設定値を操作することで、中継機を用いた無線ＬＡＮのセキュリティレベルを高めている。
【先行技術文献】
【特許文献】
【０００５】
【特許文献１】特開２０１６−０６３４０５号公報
【発明の概要】
【発明が解決しようとする課題】
【０００６】
しかしながら、セキュリティ向上のために、無線ＬＡＮ親機のＳＳＩＤと暗号化キーを変更すると、無線ＬＡＮ中継機との接続が切断されてしまう。よって、無線ＬＡＮ親機と無線ＬＡＮ中継機とを再度無線接続するためには、無線ＬＡＮ中継機を再度設定し直す必要があり、非常に多くの手間を要することになる。なお、特許文献１に記載の技術は、この問題を解決できるものではない。
【０００７】
本開示の目的は、上述した課題を解決する無線親機、無線中継機、無線通信システム、無線通信方法、及びプログラムを提供することにある。上記課題は、無線親機が無線中継機との間の無線接続に用いる設定情報を変更した場合に、変更後の設定情報で無線中継機との無線接続を確立することができない、というものである。
【課題を解決するための手段】
【０００８】
本開示の第１の態様に係る無線親機は、自機を識別するための識別子と暗号化を行うための暗号化キーとを含む設定情報に基づき、無線中継機との無線通信を行う無線通信部と、前記設定情報の少なくとも一部の変更処理を実行した場合、前記変更処理の内容を前記無線中継機に送信し、前記変更処理された設定情報である変更設定情報に基づく前記無線中継機との無線接続を確立させる制御部と、を備えたものである。
【０００９】
本開示の第２の態様に係る無線中継機は、無線親機を識別する識別子と暗号化を行うための暗号化キーとを含む設定情報に基づき、前記無線親機との無線通信を行う中継機側無線通信部と、前記中継機側無線通信部において前記無線親機から前記設定情報の少なくとも一部の変更処理の内容を受信した場合、前記設定情報を変更することで、前記変更処理された設定情報である変更設定情報に基づく前記無線親機との無線接続を確立させる中継機側制御部と、を備えたものである。
【００１０】
本開示の第３の態様に係る無線通信方法は、無線親機が、自機を識別するための識別子と暗号化を行うための暗号化キーとを含む設定情報に基づき、無線中継機との無線通信を行うステップと、前記無線親機が、前記設定情報の少なくとも一部の変更処理を実行した場合、前記変更処理の内容を前記無線中継機に送信し、前記変更処理された設定情報である変更設定情報に基づく前記無線中継機との無線接続を確立させるステップと、を備えたものである。
【００１１】
本開示の第４の態様に係る無線通信方法は、無線中継機が、無線親機を識別する識別子と暗号化を行うための暗号化キーとを含む設定情報に基づき、前記無線親機との無線通信を行うステップと、前記無線中継機が、前記無線親機から前記設定情報の少なくとも一部の変更処理の内容を受信した場合、前記設定情報を変更することで、前記変更処理された設定情報である変更設定情報に基づく前記無線親機との無線接続を確立させるステップと、を備えたものである。
【００１２】
本開示の第５の態様に係るプログラムは、無線親機に備えられた制御コンピュータに、自機を識別するための識別子と暗号化を行うための暗号化キーとを含む設定情報に基づき、無線中継機との無線通信を行うステップと、前記設定情報の少なくとも一部の変更処理を実行した場合、前記変更処理の内容を前記無線中継機に送信し、前記変更処理された設定情報である変更設定情報に基づく前記無線中継機との無線接続を確立させるステップと、を実行させるためのプログラムである。
【００１３】
本開示の第６の態様に係るプログラムは、無線中継機に備えられた制御コンピュータに、無線親機を識別する識別子と暗号化を行うための暗号化キーとを含む設定情報に基づき、前記無線親機との無線通信を行うステップと、前記無線親機から前記設定情報の少なくとも一部の変更処理の内容を受信した場合、前記設定情報を変更することで、前記変更処理された設定情報である変更設定情報に基づく前記無線親機との無線接続を確立させるステップと、を実行させるためのプログラムである。
【発明の効果】
【００１４】
本開示により、上記課題を解決する無線親機、無線中継機、無線通信システム、無線通信方法、及びプログラムを提供することができる。即ち、本開示によれば、無線親機が無線中継機との間の無線接続に用いる設定情報を変更した場合に、変更後の設定情報で無線中継機との無線接続を確立することができる。
【図面の簡単な説明】
【００１５】
【図１】実施形態１に係る無線親機の一構成例を示す機能ブロック図である。
【図２】実施形態１に係る無線親機と無線通信を行う無線中継機の一構成例を示す機能ブロック図である。
【図３】実施形態１に係る無線親機における無線通信方法の一例を説明するためのフロー図である。
【図４】実施形態２に係る無線通信システムの一構成例を示す機能ブロック図である。
【図５】図４の無線通信システムにおける無線通信処理の一例を概略的に説明するためのフロー図である。
【図６】図４の無線通信システムにおける無線通信処理の一例をより詳細に説明するためのフロー図である。
【図７】図４の無線通信システムにおける無線ＬＡＮ親機側の無線通信処理の一例を説明するためのフロー図である。
【図８】図７に続くフロー図である。
【図９】図４の無線通信システムにおける無線ＬＡＮ中継機側の無線通信処理の一例を説明するためのフロー図である。
【図１０】図４の無線通信システムにおける無線通信処理の具体例を説明するためのフロー図である。
【図１１】無線通信装置のハードウェア構成の一例を示す図である。
【発明を実施するための形態】
【００１６】
以下、図面を参照して、実施形態について説明する。なお、実施形態において、同一又は同等の要素には、同一の符号を付し、重複する説明を省略する場合がある。
【００１７】
＜実施形態１＞
図１は、実施形態１に係る無線親機の一構成例を示す機能ブロック図である。
図１に示すように、本実施形態に係る無線親機１は、制御部１ａ及び無線通信部１ｂを備える。無線親機１は、無線アクセスポイントとして機能する機器とすることができる。その他、無線親機１は、外部ネットワークと接続するための有線又は無線の通信部を備えることができる。
【００１８】
制御部１ａは、例えば、ＣＰＵ（Central Processing Unit）、作業用メモリ、及び無線親機１の全体を制御するためのプログラムを記憶した不揮発性の記憶装置などによって実現することができる。また、制御部１ａは、例えば集積回路（Integrated Circuit）によって実現することもできる。
【００１９】
無線通信部１ｂは、無線中継機と通信するための部位である。具体的には、無線通信部１ｂは、自機を識別するための識別子と暗号化を行うための暗号化キーとを含む設定情報に基づき、無線中継機との無線通信を行う。
【００２０】
そして、本実施形態の主たる特徴の１つとして、制御部１ａは、上記設定情報の少なくとも一部の変更処理を実行した場合、その変更処理の内容をその無線中継機に送信（通知）する。この送信は、無線通信部１ｂを介して行われる。また、変更処理の内容としては、変更処理を実行したことを示す情報を含むことができる。また、変更処理の内容としては、無線中継機側でその無線親機となる機器であることを認識できるような情報（例えば後述のＢＳＳＩＤ）を含むことができ、また、上記変更処理された設定情報である変更設定情報を含むことができる。
【００２１】
そして、制御部１ａは、このような通知後、無線通信部１ｂに上記変更設定情報に基づく無線中継機との無線接続を確立させる。
【００２２】
本実施形態に係る無線親機１は、上述した説明から明らかなように、無線中継機とともに無線通信システムを構築する構成要素となる。図２を参照しながら、この無線中継機の構成例について説明する。図２は、本実施形態に係る無線親機１と無線通信を行う無線中継機の一構成例を示す機能ブロック図である。
【００２３】
図２に示すように、本実施形態に係る無線親機１と無線通信を行う無線中継機２は、制御部２ａ及び無線通信部２ｂを備える。無線中継機２は、無線ネットワークの中継機として機能する機器とすることができる。その他、無線中継機２は、無線子機と接続するための有線又は無線の通信部を備えることができ、この通信部は、無線通信部２ｂに含めることができる。
【００２４】
制御部２ａは、例えば、ＣＰＵ、作業用メモリ、及び無線中継機２の全体を制御するためのプログラムを記憶した不揮発性の記憶装置などによって実現することができる。また、制御部２ａは、例えば集積回路によって実現することもできる。
【００２５】
無線通信部２ｂは、無線親機と通信するための部位である。具体的には、無線通信部１ｂは、無線親機１を識別するための識別子と暗号化を行うための暗号化キーとを含む設定情報に基づき、無線親機１との無線通信を行う。
【００２６】
そして、制御部２ａは、無線親機１側から送信された通知を、無線通信部２ｂを介して受信し、元の設定情報を変更することで、無線通信部２ｂに上記変更設定情報に基づく無線親機１との無線接続を確立させる。元の設定情報の変更は、更新後の設定情報の無線中継機２での反映を意味する。
【００２７】
次に、図３を併せて参照しながら、無線親機１による無線通信方法（無線通信処理）の一例について説明する。図３は、無線親機１における無線通信方法の一例を説明するためのフロー図である。
【００２８】
無線親機１は、自機を識別するための識別子と暗号化を行うための暗号化キーとを含む設定情報に基づき、無線中継機２との無線通信を行っているものとする。無線親機１は、設定情報の少なくとも一部の変更処理を実行し（ステップＳ１）、その無線通信が切断される（無線接続が切断される）状況になる（ステップＳ２）。
【００２９】
次いで、無線親機１は、その変更処理の内容を無線中継機２に送信し（ステップＳ３）、その後、変更設定情報に基づく無線中継機２との無線接続を確立させる（ステップＳ４）。無線中継機２側の処理については図示していないが、無線中継機２は、ステップＳ２で切断状態になり、ステップＳ３の送信により上記内容を受信することになる。そして、無線中継機２は、上記内容を受信した場合、元の設定情報を変更することで、ステップＳ４において変更設定情報に基づく無線親機１との無線接続を確立させることになる。
【００３０】
以上、本実施形態に係る無線親機１によれば、無線中継機２との間の無線接続に用いる設定情報を変更した場合に、変更処理の内容を無線中継機２に通知するため、その通知を契機に、変更後の設定情報で無線中継機との無線接続を確立することができる。
【００３１】
＜実施形態２＞
実施形態２について、図４〜図１０を併せて参照しながら、実施形態１との相違点を中心に説明するが、実施形態１で説明した様々な例が適用できる。図４は、実施形態２に係る無線通信システムの一構成例を示す機能ブロック図である。
【００３２】
図４に示すように、本実施形態に係る無線通信システムは、無線ＬＡＮ親機１０と無線ＬＡＮ中継機２０とを備えた無線ＬＡＮシステムとすることができる。
【００３３】
無線ＬＡＮ親機１０は、制御部１１、無線通信部１２、及び記憶部１３を備えることができる。ここで、制御部１１及び記憶部１３が図１の制御部１ａに相当し、無線通信部１２が図１の無線通信部１ｂに相当するように構成することができる。記憶部１３は、無線ＬＡＮ中継機２０との無線接続に使用する情報として、ＳＳＩＤ、暗号化キー、及びＢＳＳＩＤ（Basic Service Set Identifier）を記憶しておくことができる。例えば、ＢＳＳＩＤには、無線ＬＡＮ親機１０のＭＡＣ（Media Access Control）アドレスをそのまま用いることができるが、ＭＡＣアドレスとは異なる情報を用いることもできる。また、記憶部１３は、ＳＳＩＤ、暗号化キーなどの設定情報の変更処理を実行する際には、変更後の設定情報を記憶する。
【００３４】
なお、無線ＬＡＮ親機１０と無線ＬＡＮ中継機２０との間で暗号化キーが送受される場合、暗号化キーそのものを送受することもできるが、その暗号化キーを生成できる情報（つまりその暗号化キーを示す情報）を送受することもでき、両者は同義として説明する。
【００３５】
無線通信部１２は、変更処理の内容の送信に対する応答として、無線ＬＡＮ中継機２０から一時的な設定情報による無線接続要求を受信する。一時的な設定情報にも、無線接続において無線ＬＡＮ親機１０を識別するための識別子（一時使用ＳＳＩＤで例示）と暗号化キーとが含まれるが、いずれも一時使用のための情報である。但し、一時的な設定情報は、識別子のみを元の設定情報から異ならせておくだけでもよい。また、記憶部１３は、受信した一時使用ＳＳＩＤ及び一時使用暗号化キーを記憶する。また、記憶部１３は、予め使用される可能性がある一時使用ＳＳＩＤ及び一時使用暗号化キーを記憶しておき、受信した場合に対応するものを有効にするようにすることもできる。
【００３６】
そして、制御部１１は、上記無線接続要求に対する応答として、上記一時的な設定情報に基づき無線通信部１２に一時的な無線接続を確立させる。制御部１１は、上記一時的な無線接続がなされた状態で、無線通信部１２に無線ＬＡＮ中継機２０への上記変更設定情報の送信を実行させ、上記変更設定情報に基づく無線ＬＡＮ中継機２０との無線接続を確立させる。
【００３７】
無線ＬＡＮ中継機２０は、制御部２１、無線通信部２２、及び記憶部２３を備えることができる。ここで、制御部２１及び記憶部２３が図３の制御部２ａに相当し、無線通信部２２が図２の無線通信部２ｂに相当するように構成することができる。記憶部２３は、無線ＬＡＮ親機１０との無線接続に使用する情報として、ＳＳＩＤ及び暗号化キーを記憶しておくことができる。
【００３８】
制御部２１は、無線通信部２２において無線ＬＡＮ親機１０から上記設定情報の少なくとも一部の変更処理の内容を受信した場合、一時的な設定情報による無線接続要求を無線通信部２２に送信させる。記憶部２３は、無線ＬＡＮ親機１０がＳＳＩＤ及び暗号化キーを変更した際に送信する、一時的な設定情報（ここでは一時使用ＳＳＩＤ及び一時使用暗号化キーで例示）を記憶しておくことができる。つまり、記憶部２３に、予め使用される可能性がある一時使用ＳＳＩＤ及び一時使用暗号化キーを記憶しておくことで、無線ＬＡＮ中継機２０は、それを読み出して無線ＬＡＮ親機１０に送信するように構成することができる。
【００３９】
そして、制御部２１は、上記無線接続要求に対する応答として上記変更設定情報を無線ＬＡＮ親機１０から受信した場合、上記変更設定情報に基づく無線ＬＡＮ親機１０との無線接続を確立させる。
【００４０】
次に、図５を参照しながら、図４の無線通信システムにおける処理例について概略的に説明する。図５は、図４の無線通信システムにおける無線通信処理の一例を概略的に説明するためのフロー図である。
【００４１】
最初に、無線ＬＡＮ親機１０は、無線ＬＡＮ中継機２０と、ＳＳＩＤ「Ａ」、暗号化キー「ａ」で無線接続している状態があるとする。なお、無線ＬＡＮ親機１０では、無線ＬＡＮ中継機２０も図示しない無線ＬＡＮ子機の１つとして取り扱うことができ、ＳＳＩＤ「Ａ」及び暗号化キー「ａ」は無線ＬＡＮ子機との無線接続に使用する設定情報に該当する。
【００４２】
その後、無線ＬＡＮ親機１０のＳＳＩＤを「Ｂ」、暗号化キーを「ｂ」に変更する（ステップＳ１１）と、無線ＬＡＮ中継機２０との無線接続は切断され、無線ＬＡＮ中継機２０は、ＳＳＩＤ「Ａ」、暗号化キー「ａ」で再度無線ＬＡＮ親機１０を探す動作に移る。しかし、既に無線ＬＡＮ親機１０のＳＳＩＤと暗号化キーが変更されているため、無線ＬＡＮ中継機２０の設定を変更しない限り、無線ＬＡＮ中継機２０は無線ＬＡＮ親機１０に無線接続できない。
【００４３】
そこで、無線ＬＡＮ親機１０は、ＳＳＩＤ及び暗号化キーを変更したことを示す通知を無線ＬＡＮ中継機２０に送信する（ステップＳ１２）。無線ＬＡＮ中継機２０は、この通知を受信し、自動的に、変更後のＳＳＩＤ「Ｂ」及び暗号化キー「ｂ」に設定を変更し（ステップＳ１３）、無線ＬＡＮ親機１０との無線接続を確立する。どのように自動的にこのような変更（設定変更の反映）を行うかの例については、具体的に後述する。
【００４４】
このように、本実施形態に係る無線ＬＡＮ親機１０と無線ＬＡＮ中継機２０は、ＳＳＩＤと暗号化キーの変更を反映できる機能を有する。これにより、無線ＬＡＮ親機１０のＳＳＩＤと暗号化キーを変更する度に、無線ＬＡＮ中継機２０を再設定する必要がなくなり、定期的に無線ＬＡＮ親機１０のＳＳＩＤと暗号化キーを変更することで、セキュリティを向上させることができる。
【００４５】
次に、図６を参照しながら、図５で説明した処理例をより詳細に説明する。図６は、図４の無線通信システムにおける無線通信処理の一例をより詳細に説明するためのフロー図である。なお、図６〜図１０の処理例においては、特に説明しないが、無線ＬＡＮ親機１０、無線ＬＡＮ中継機２０が行う動作は、それぞれ制御部１１、制御部２１が主体となって実行されることができる。
【００４６】
図５の例と同様に、まず無線ＬＡＮ親機１０は、無線ＬＡＮ中継機２０と、ＳＳＩＤ「Ａ」、暗号化キー「ａ」で無線接続している状態があるとする。ここで例示する無線通信システムでは、無線接続したタイミングで、次のステップＳ２１，Ｓ２２の処理を行う。
【００４７】
ステップＳ２１では、無線ＬＡＮ親機１０が、無線ＬＡＮ中継機２０と接続したとき、無線ＬＡＮ中継機２０のＭＡＣアドレス（無線ＬＡＮ中継機２０毎に一意な値）を記憶部１３に記憶する。ステップＳ２２では、無線ＬＡＮ中継機２０が、無線ＬＡＮ親機１０と接続したとき、無線ＬＡＮ親機１０のＢＳＳＩＤ（無線ＬＡＮ親機１０毎に一意な値）を記憶部２３に記憶する。
【００４８】
次に、無線ＬＡＮ親機１０は、外部コンピュータ等を介したユーザからの指示や予め定められたタイムスケジュールなどに従い、ＳＳＩＤと暗号化キーの変更処理を行う（ステップＳ２３）。このように、無線ＬＡＮ親機１０の制御部１１は、変更処理を予め定められたタイムスケジュールで実行するように構成することができる。ステップＳ２３では、変更したタイミングで、無線ＬＡＮ親機１０のＳＳＩＤと暗号化キーの変更ＦＬＡＧ（ＳＳＩＤ／暗号化キー変更ＦＬＡＧ）をＯＮにする。なお、このＦＬＡＧは、例示するように１つのフラグだけ設けておくこともできるが、ＳＳＩＤと暗号化キーとで個別に設けておくこともできる。ステップＳ２３の後は、無線ＬＡＮ親機１０と無線ＬＡＮ中継機２０との間の無線接続は切断されることになる（ステップＳ２４）。
【００４９】
また、ステップＳ２３の後、無線ＬＡＮ親機１０は、変更したＳＳＩＤと暗号化キーで動作し、Ｂｅａｃｏｎ又はＰｒｏｂｅＲｅｓで周囲の端末に通知する（ステップＳ２５）。なお、Ｂｅａｃｏｎは、無線アクセスポイントの存在を示すために定期的に送信している信号を指す。また、ＰｒｏｂｅＲｅｓは、無線ＬＡＮ中継機２０（又は無線子機）から送信されたＰｒｏｂｅＲｅｑ（通信確立設定の要求）に対する応答のためのＰｒｏｂｅ  Ｒｅｓｐｏｎｓｅ信号を指す。
【００５０】
ステップＳ２５では、無線ＬＡＮ親機１０は、送信するＢｅａｃｏｎ又はＰｒｏｂｅＲｅｓに、ＳＳＩＤ／暗号化キー変更ＦＬＡＧが「ＯＮ」であることを示す情報を追加して送信する。
【００５１】
無線ＬＡＮ中継機２０は、ステップＳ２４における無線接続切断後、再度無線ＬＡＮ親機１０との接続をリトライすると同時に、ステップＳ２５で送信された情報を受信する（ステップＳ２６）。つまり、無線ＬＡＮ中継機２０は、接続のリトライとともに、Ｂｅａｃｏｎ又はＰｒｏｂｅＲｅｓに、ＳＳＩＤ／暗号化キー変更ＦＬＡＧが「ＯＮ」であることを示す情報が追加されていないかをチェックする。
【００５２】
次に、無線ＬＡＮ中継機２０は、上記情報、つまり無線ＬＡＮ親機１０の上記ＦＬＡＧを検知した場合、検知した情報に含まれる無線ＬＡＮ親機１０のＢＳＳＩＤとステップＳ２２で記録したＢＳＳＩＤとが等しいか否かを判定する（ステップＳ２７）。ステップＳ２７でＮＯの場合（等しくない場合）には処理を終了する。
【００５３】
一方、ステップＳ２７でＹＥＳの場合（等しい場合）には、無線ＬＡＮ親機１０及び無線ＬＡＮ中継機２０は、次のような処理を行う。即ち、無線ＬＡＮ中継機２０は、無線ＬＡＮ親機１０に一時使用ＳＳＩＤと一時使用暗号化キーを含む無線接続要求を送信し、無線ＬＡＮ親機１０はそれを受信する（ステップＳ２８）。
【００５４】
無線ＬＡＮ親機１０は、無線ＬＡＮ中継機２０からの無線接続要求を受信した場合に、その要求に含まれる無線ＬＡＮ中継機２０のＭＡＣアドレスとステップＳ２１で記録したＭＡＣアドレスとが等しいか（正しいか）否かをチェックする。そして、正しかった場合にのみ、無線ＬＡＮ中継機２０と無線ＬＡＮ親機１０は、一時使用ＳＳＩＤと一時使用暗号化キーを使用して無線接続を確立し、その無線接続を利用して変更設定情報（変更後のＳＳＩＤ及び暗号化キー）を送受する（ステップＳ２９）。変更後のＳＳＩＤ及び暗号化キーは、ステップＳ２３で変更されたものである。
【００５５】
そして、無線ＬＡＮ中継機２０は、受信した変更設定情報を使用する設定情報として記憶部２３に反映させることで、設定を変更し、これにより、変更後のＳＳＩＤ及び暗号化キーで無線ＬＡＮ親機１０との無線接続を行う（ステップＳ３０）。このようにして無線接続が確立した後、無線ＬＡＮ親機１０はＳＳＩＤ／暗号化キー変更ＦＬＡＧを「ＯＦＦ」に変更する（ステップＳ３１）。このようにして、ステップＳ２３の変更処理があった場合でも、無線接続状態が再開される。
【００５６】
このように、本実施形態では、無線ＬＡＮ親機１０は、ＳＳＩＤと暗号化キーを変更したタイミングで、無線ＬＡＮ親機１０のＳＳＩＤと暗号化キー変更ＦＬＡＧをＯＮにする。そして、無線ＬＡＮ親機１０と無線ＬＡＮ中継機２０は、ＳＳＩＤ／暗号化キー変更ＦＬＡＧがＯＮの場合に、一時使用ＳＳＩＤと一時使用暗号化キーを使用し、無線ＬＡＮ親機１０が変更したＳＳＩＤ及び暗号化キーを無線ＬＡＮ中継機２０に送信する。換言すれば、本実施形態では、別の一時使用ＳＳＩＤと一時使用暗号化キーを使用することで、通常の無線接続なしに設定情報（帰属を示す情報）を受け渡しする。
【００５７】
また、上述したように、無線ＬＡＮ親機１０の制御部１１は、識別子を変更した場合、識別子変更を示す第１フラグをオンにし、上記変更処理の内容に第１フラグがオンにされたことを示す情報を含んで無線ＬＡＮ中継機２０に送信することが好ましい。また、変更設定情報に基づく無線接続が確立された場合、制御部１１は、この第１フラグをオフにすればよい。また、制御部１１は、暗号化キーを変更した場合、暗号化キー変更を示す第２フラグをオンにし、上記変更処理の内容に第２フラグがオンにされたことを示す情報を含んで無線ＬＡＮ中継機２０に送信する。また、変更設定情報に基づく無線接続が確立された場合、制御部１１は、この第２フラグをオフにすればよい。なお、上述したように、識別子と暗号化キーとを両方変更する場合、第１フラグと第２フラグとは共通のフラグであってもよい。
【００５８】
次に、図７及び図８を参照しながら、図６で説明した処理例における無線ＬＡＮ親機１０側の内部処理例について説明する。図７は、図４の無線通信システムにおける無線ＬＡＮ親機１０側の無線通信処理の一例を説明するためのフロー図で、図８は、図７に続くフロー図である。
【００５９】
図７を参照すると、まず、無線ＬＡＮ親機１０は、ＳＳＩＤと暗号化キーの変更要求を受け付ける（ステップＳ４１）。なお、ステップＳ４１では、無線ＬＡＮ中継機２０と無線接続している状態では、無線ＬＡＮ子機から無線ＬＡＮ中継機２０を経由してこの変更要求を受け付けることもできる。
【００６０】
変更要求があった場合、無線ＬＡＮ親機１０は、帰属している無線ＬＡＮ中継機２０が存在するか否かをチェックし（ステップＳ４２）、ＮＯの場合には通常処理に戻る（ステップＳ４３）。ステップＳ４３では、一般的な無線ＬＡＮ親機と無線ＬＡＮ中継機との無線接続を示し、以後記載する「通常処理」も同じものとして扱う。例えば、ステップＳ４３では、接続先がないため、そのまま変更要求を受け入れてＳＳＩＤと暗号化キーとを変更することもできる。
【００６１】
ステップＳ４２でＹＥＳの場合、無線ＬＡＮ親機１０は、無線接続している無線ＬＡＮ中継機２０のＭＡＣアドレスを記憶部１３に記憶（記録）する（ステップＳ４４）。これは、この時点で無線接続している無線ＬＡＮ中継機２０とのみ、ＳＳＩＤと暗号化キーの変更処理を実行させるためである。ステップＳ４４に続き、無線ＬＡＮ親機１０は、ＳＳＩＤと暗号化キーの変更処理を実施し（ステップＳ４５）、ＳＳＩＤと暗号化キーの変更を示すＦＬＡＧをＯＮにする（ステップＳ４６）。このＦＬＡＧは、上述したＳＳＩＤ／暗号化キー変更ＦＬＡＧである。
【００６２】
次いで、無線ＬＡＮ親機１０は、変更したＳＳＩＤとＳＳＩＤ／暗号化キー変更ＦＬＡＧとが内在した、ＢｅａｃｏｎとＰｒｏｂｅＲｅｓを送信する（ステップＳ４７）。無線ＬＡＮ親機１０は、この送信の応答として、無線ＬＡＮ中継機２０から一時使用ＳＳＩＤと一時使用暗号化キーとを指定した無線接続要求を受信する（ステップＳ４８）。
【００６３】
次いで、無線ＬＡＮ親機１０は、無線ＬＡＮ中継機２０のＭＡＣアドレスが記憶部１３に記録してある無線ＬＡＮ中継機２０のＭＡＣアドレスと等しいか否かをチェックする（図８のステップＳ４９）。ステップＳ４９でＮＯの場合、通常処理に戻る（ステップＳ５０）。
【００６４】
ステップＳ４９でＹＥＳの場合、無線ＬＡＮ親機１０は、一時使用ＳＳＩＤと一時使用暗号化キーとにより無線ＬＡＮ中継機２０と無線接続する（ステップＳ５１）。そして、無線ＬＡＮ親機１０は、無線ＬＡＮ中継機２０へ、変更したＳＳＩＤと暗号化キーとを送信する（ステップＳ５２）。次いで、無線ＬＡＮ親機１０は、無線ＬＡＮ中継機２０から変更したＳＳＩＤと暗号化キーを指定した無線接続要求を受信する（ステップＳ５３）。
【００６５】
無線ＬＡＮ親機１０は、その無線接続要求に記述された無線ＬＡＮ中継機２０のＭＡＣアドレスは、記憶部１３に記録してある無線ＬＡＮ中継機２０のＭＡＣアドレスと等しいか否かをチェックする（ステップＳ５４）。ステップＳ５４でＮＯの場合、通常処理に戻る（ステップＳ５５）。
【００６６】
ステップＳ５４でＹＥＳの場合、無線ＬＡＮ親機１０は、ＳＳＩＤ／暗号化キー変更ＦＬＡＧをＯＦＦにし（ステップＳ５６）、無線ＬＡＮ中継機２０と無線接続する（ステップＳ５６）。
【００６７】
次に、図９を参照しながら、図６で説明した処理例における無線ＬＡＮ中継機２０側の内部処理例について説明する。図９は、図４の無線通信システムにおける無線ＬＡＮ中継機２０側の無線通信処理の一例を説明するためのフロー図である。
【００６８】
無線ＬＡＮ中継機２０が、無線ＬＡＮ親機１０との無線接続が確立（完了）した時点（ステップＳ６１）から説明する。無線ＬＡＮ中継機２０は、無線接続している無線ＬＡＮ親機１０のＢＳＳＩＤを記憶部２３に記録する（ステップＳ６２）。これは、無線接続している無線ＬＡＮ親機１０とのみ、ＳＳＩＤと暗号化キーの変更処理を実行させたいためである。
【００６９】
次いで、無線ＬＡＮ中継機２０は、無線ＬＡＮ親機１０の設定変更に起因する無線切断後、ＳＳＩＤと暗号化キーに合致する無線ＬＡＮ親機１０が存在するか否かをチェックする（ステップＳ６３）。ステップＳ６３でＮＯの場合、通常処理に戻る（ステップＳ６４）。
【００７０】
ステップＳ６３でＹＥＳの場合、無線ＬＡＮ中継機２０は、記憶部２３に記録したＢＳＳＩＤと等しい無線ＬＡＮ親機１０を検索する（ステップＳ６５）。
【００７１】
そして、無線ＬＡＮ中継機２０は、検索された無線ＬＡＮ親機１０のＢｅａｃｏｎ又はＰｒｏｂｅＲｅｓにＳＳＩＤ／暗号化キー変更ＦＬＡＧがＯＮになっているか否かをチェックする（ステップＳ６６）。ステップＳ６６でＮＯの場合、通常処理に戻る（ステップＳ６７）。
【００７２】
ステップＳ６６でＹＥＳの場合、無線ＬＡＮ中継機２０は、一時使用ＳＳＩＤと一時使用暗号化キーを指定した無線接続要求をその無線ＬＡＮ親機１０に送信する（ステップＳ６８）。このように、無線ＬＡＮ中継機２０の制御部２１は、上記変更処理の内容が、以前に無線接続を確立した無線ＬＡＮ親機１０であることを示す情報を含んでいる場合に、上記無線接続要求を送信させることが好ましい。
【００７３】
そして、無線ＬＡＮ中継機２０は、この無線接続要求に対する無線ＬＡＮ親機１０からの応答により、無線ＬＡＮ親機１０と無線接続する（ステップＳ６９）。このような無線接続状態で、無線ＬＡＮ中継機２０は、無線ＬＡＮ親機１０から、変更したＳＳＩＤと暗号化キーとを受信する（ステップＳ７０）。
【００７４】
次いで、無線ＬＡＮ中継機２０は、変更したＳＳＩＤと暗号化キーとを記憶部２３に記憶し、変更したＳＳＩＤと暗号化キーとを使用して無線ＬＡＮ親機１０に無線接続要求を送信する（ステップＳ７１）。これにより、無線ＬＡＮ中継機２０は、無線ＬＡＮ親機１０と無線接続する（ステップＳ７２）。
【００７５】
次に、図１０を参照し、ＢＳＳＩＤの例を挙げながら、上述したような無線通信処理の具体例について説明する。図１０は、図４の無線通信システムにおける無線通信処理の具体例を説明するためのフロー図である。
【００７６】
無線ＬＡＮ親機１０と無線ＬＡＮ中継機２０が無線接続している環境がある。この環境において、無線ＬＡＮ親機１０は、ＳＳＩＤ「Ａ」、暗号化キー「ａ」、ＢＳＳＩＤ「Ｘ」の情報を記憶部１３に記憶し、無線ＬＡＮ中継機２０は、ＳＳＩＤ「Ａ」、暗号化キー「ａ」、ＭＡＣアドレス「Ｙ」の情報を記憶部２３に記憶しているものとする。
【００７７】
無線ＬＡＮ親機１０は、無線ＬＡＮ中継機２０との無線接続後、ＭＡＣアドレス「Ｙ」を記憶部１３に記録する（ステップＳ８１）。無線ＬＡＮ中継機２０は、無線ＬＡＮ親機１０との無線接続後、ＢＳＳＩＤ「Ｘ」を記憶部２３に記録する。
【００７８】
最初に、無線ＬＡＮ親機１０が、ＳＳＩＤを「Ａ」から「Ｂ」に、暗号化キーを「ａ」から「ｂ」に変更する（ステップＳ８３）。この変更は、記憶部１３に記憶されたＳＳＩＤ、暗号化キーを書き換えることで行うことができる。そして、ＳＳＩＤの変更に伴い、無線ＬＡＮ親機１０と無線ＬＡＮ中継機２０との無線接続が切断されることになる（ステップＳ８３）。
【００７９】
その後、無線ＬＡＮ親機１０は、Ｂｅａｃｏｎ又はＰｒｏｂｅＲｅｓにＳＳＩＤ／暗号化キー変更ＦＬＡＧ「ＯＮ」を含んで送信する（ステップＳ８５）。無線ＬＡＮ中継機２０は、受信したＢｅａｃｏｎ又はＰｒｏｂｅＲｅｓにＳＳＩＤ／暗号化キー変更ＦＬＡＧ「ＯＮ」が存在した場合、記憶部２３に記録していたＢＳＳＩＤ「Ｘ」と等しいか否かをチェックする（ステップＳ８６）。等しくない場合、無線ＬＡＮ中継機２０は通常処理を行う。等しい場合、無線ＬＡＮ中継機２０は、無線接続要求を一時使用ＳＳＩＤと一時使用暗号化キーをパラメータとして送信する（ステップＳ８７）。
【００８０】
無線ＬＡＮ親機１０は、無線ＬＡＮ中継機２０からの無線接続要求があった端末のＭＡＣアドレスが記憶部１３に記憶されていた「Ｙ」と等しいか否かをチェックし（ステップＳ８８）、等しくなかった場合、通常処理を行う。等しかった場合、無線ＬＡＮ親機１０は、無線接続ＯＫの応答（レスポンス）を返す（ステップＳ８９）。
【００８１】
その後、無線ＬＡＮ親機１０は、一時使用ＳＳＩＤと一時使用暗号化キーを使用した無線接続を利用し、無線ＬＡＮ中継機２０に変更したＳＳＩＤ「Ｂ」、暗号化キー「ｂ」の情報を送信する（ステップＳ９０）。無線ＬＡＮ中継機２０は、受信したＳＳＩＤ「Ｂ」と暗号化キー「ｂ」を記憶部２３に記憶することで変更された設定を反映する（ステップＳ９１）。
【００８２】
無線ＬＡＮ親機１０は、一時使用ＳＳＩＤ及び一時使用暗号化キーを無効にするか削除するなどして、変更後のＳＳＩＤ「Ｂ」及び暗号化キー「ｂ」を無線接続に使用するように設定する（ステップＳ９２）。無線ＬＡＮ中継機２０は、一時使用ＳＳＩＤ及び一時使用暗号化キーを無効にするか削除するなどして、変更後のＳＳＩＤ「Ｂ」及び暗号化キー「ｂ」を無線接続に使用するように設定する（ステップＳ９３）。このようにして、無線ＬＡＮ親機１０と無線ＬＡＮ中継機２０との無線接続が開始される（ステップＳ９４）。
【００８３】
以上に説明した本実施形態によれば、無線ＬＡＮ親機１０が無線ＬＡＮ中継機２０との間の無線接続に用いる設定情報を変更した場合に、変更後の設定情報を無線ＬＡＮ中継機２０に反映させる（受け渡すこと）ことができる。よって、無線ＬＡＮ親機１０と無線ＬＡＮ中継機２０との無線接続を確立させることができる。
【００８４】
特に本実施形態では、無線ＬＡＮ親機１０のＳＳＩＤ、暗号化キーを変更するだけで、無線ＬＡＮ中継機２０の設定が不要になることで、無線ＬＡＮ親機１０のＳＳＩＤ、暗号化キーの変更の煩雑さが減る。従って、本実施形態では、頻繁な無線ＬＡＮ親機１０のＳＳＩＤ、暗号化キー変更が容易にできるため、セキュリティが向上する。
【００８５】
また、無線ＬＡＮ中継機２０の設定をユーザが意識することなく、無線ＬＡＮ親機１０のＳＳＩＤと暗号化キーの変更だけで無線ＬＡＮ中継機２０に設定変更を反映できるため、ユーザビリティが向上する。
【００８６】
また、例えば、無線ＬＡＮ親機１０に無線ＬＡＮ中継機２０を複数台接続した場合であっても、各無線ＬＡＮ中継機２０側に図６に示したような無線ＬＡＮ中継機２０の機能があれば、複数台の無線ＬＡＮ中継機２０に対しても、同様のことが実施可能となる。つまり、本実施形態では、無線ＬＡＮ親機１０に無線ＬＡＮ中継機２０を複数接続していた場合でも、無線ＬＡＮ中継機２０の１台１台に設定を行う必要がない。換言すれば、本実施形態では、無線ＬＡＮ親機１０のＳＳＩＤと暗号化キーを変更するだけで、全ての無線ＬＡＮ中継機２０に設定変更が反映できるため、ユーザビリティが向上する。
【００８７】
また、タイムスケジュールについて説明したように、無線ＬＡＮ親機１０のセキュリティ向上のため、自動でＳＳＩＤと暗号化キーを定期的に変更する処理を行うように構成することができる。これにより、ユーザは何もしなくても、自動で無線ＬＡＮ親機１０、無線ＬＡＮ中継機２０のＳＳＩＤ、暗号化キーの変更がなされるため、セキュリティが強固な無線ネットワークが構成可能となる。
【００８８】
また、無線ＬＡＮ親機１０の制御部１１は、無線ＬＡＮ中継機２０が上記変更処理を反映して無線ＬＡＮ親機１０と無線通信を行うことができる装置であるか否かを判定し、そのような装置である場合に上記変更処理を実行することが好ましい。このような判定は、無線ＬＡＮ中継機２０との無線接続が確立している状態で実行され、判定には例えば機種情報が認識できるような機器情報などを用いることができる。例えば、無線ＬＡＮ親機１０は、無線ＬＡＮ中継機２０からその機器情報を受信するように構成しておくとともに、制御部１１が記憶部１３に無線接続が確立している無線ＬＡＮ中継機２０の機器情報を記憶させるように構成しておけばよい。
【００８９】
＜他の実施形態＞
［ａ］
各実施形態では、無線親機の機能や無線中継機の機能について説明したが、それぞれ無線親機として、無線中継機として、これらの機能が実現できればよい。また、無線中継機に接続される無線子機について説明していないが、無線子機は、無線中継機を経由して無線親機と通信可能な機器であればよい。また、無線通信システムで使用する無線の周波数帯は問わず、複数の周波数帯に対応させることもできる。
【００９０】
また、各実施形態は、無線中継機を構成するホームネットワーク及び無線中継機を利用したサービス、アプリケーションプログラムに利用することができる。例えば、スマートフォンやモバイルコンピュータ等の情報処理装置に、図６に示す無線ＬＡＮ中継機２０の機能（主に制御部２１に対応する機能）をアプリケーションプログラムとして実行可能に搭載することができる。これにより、情報処理装置を無線中継機として機能させることができるため、情報処理装置でも同様の処理が実施可能となる。
【００９１】
また、実施形態１に基づき説明すると、無線親機１は無線中継機２の機能を含む無線通信装置とすることができる。この場合、無線通信装置（無線親機１）の無線通信部１ｂは、無線親機１を識別するための識別子と暗号化を行うための暗号化キーとを含む設定情報に基づき、他の無線通信装置（無線中継機２）との無線通信を行う。そして、無線通信装置（無線親機１）の制御部１ａは、設定情報の少なくとも一部の変更処理を実行した場合、その変更処理の内容を上記他の無線通信装置（無線中継機２）に送信する。そして、制御部１ａは、変更設定情報に基づく上記他の無線通信装置（無線中継機２）との無線接続を確立させる。また、制御部１ａは、上記他の無線通信装置（無線中継機２）が例えば一時的な設定情報に設定情報を変更したことを検出した場合、検出した変更に従い、自機にその変更後の設定情報を反映する。
【００９２】
同様に、無線中継機２は無線親機１の機能を含む無線通信装置とすることができる。この場合、無線通信装置（無線中継機２）の無線通信部２ｂは、無線親機１を識別するための識別子と暗号化を行うための暗号化キーとを含む設定情報に基づき、他の無線通信装置（無線親機１）との無線通信を行う。そして、無線通信装置（無線中継機２）の制御部２ａは、設定情報の少なくとも一部の変更処理を実行した場合（例えば一時的な設定情報に変更した場合）、その変更処理の内容を上記他の無線通信装置（無線親機１）に送信する。そして、制御部２ａは、変更設定情報に基づく上記他の無線通信装置（無線親機１）との無線接続を確立させる。また、制御部２ａは、上記他の無線通信装置（無線親機１）が設定情報を変更したこと（変更設定情報に変更したこと）を検出した場合、検出した変更に従い、自機にその変更後の設定情報を反映する。
【００９３】
このように、無線親機又は無線中継機である無線通信装置は、例えば共通の一時使用ＳＳＩＤと一時使用暗号化キーとを含むような一時的な設定情報を、予め保持しておくなどして使用するように構成することができる。また、無線親機又は無線中継機である無線通信装置は、他の無線通信装置の設定変更を検出した場合、自機の設定を変更するように構成することができる。
【００９４】
［ｂ］
各実施形態に係る無線通信装置（無線親機又は無線中継機）は、次のようなハードウェア構成を有することができる。図１１は、無線通信装置のハードウェア構成の一例を示す図である。なお、上記他の実施形態［ａ］についても同様である。
【００９５】
図１１に示す無線通信装置１００は、プロセッサ１０１、メモリ１０２、及び通信インタフェース１０３を有する。各実施形態で説明した制御部の機能或いは無線通信部の一部の機能は、プロセッサ１０１がメモリ１０２に記憶されたプログラムを読み込んで通信インタフェース１０３と協働しながら実行することにより実現される。また、メモリ１０２には、設定情報を記憶しておくこともできる。
【００９６】
上述の例において、上記プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、この例は、ＣＤ−ＲＯＭ（Read Only Memory）、ＣＤ−Ｒ、ＣＤ−Ｒ／Ｗを含む。さらに、この例は、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、上記プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９７】
［ｃ］
さらに、上述した様々な実施形態において、無線通信装置（無線親機又は無線中継機）における無線通信処理の手順を例示したように、本開示は、無線親機における無線通信方法としての形態や無線中継機における無線通信方法としての形態も採り得る。なお、無線親機側の上記プログラムは、無線親機に備えられた制御コンピュータに無線親機における無線通信方法を実行させるためのプログラムであると言える。同様に、無線中継機側の上記プログラムは、無線中継機に備えられた制御コンピュータに無線中継機における無線通信方法を実行させるためのプログラムであると言える。
【００９８】
なお、本開示は上記実施形態に限られたものではなく、趣旨を逸脱しない範囲で適宜変更することが可能である。また、本開示は、それぞれの実施形態を適宜組み合わせて実施されてもよい。
【００９９】
上記の実施形態の一部又は全部は、以下の付記のようにも記載されうるが、以下には限られない。
＜付記＞
【０１００】
（付記１）
自機を識別するための識別子と暗号化を行うための暗号化キーとを含む設定情報に基づき、無線中継機との無線通信を行う無線通信部と、
前記設定情報の少なくとも一部の変更処理を実行した場合、前記変更処理の内容を前記無線中継機に送信し、前記変更処理された設定情報である変更設定情報に基づく前記無線中継機との無線接続を確立させる制御部と、
を備えた無線親機。
【０１０１】
（付記２）
前記制御部は、前記無線中継機が前記変更処理を反映して前記無線親機と無線通信を行うことができる装置であるか否かを判定し、前記装置である場合に前記変更処理を実行する、
付記１に記載の無線親機。
【０１０２】
（付記３）
前記無線通信部は、前記変更処理の内容の送信に対する応答として、前記無線中継機から一時的な設定情報による無線接続要求を受信し、
前記制御部は、前記無線接続要求に対する応答として、前記無線通信部に一時的な無線接続を確立させ、前記一時的な無線接続がなされた状態で前記無線通信部に前記無線中継機への前記変更設定情報の送信を実行させ、前記変更設定情報に基づく前記無線中継機との無線接続を確立させる、
付記１又は２に記載の無線親機。
【０１０３】
（付記４）
前記制御部は、前記識別子を変更した場合、識別子変更を示す第１フラグをオンにし、前記変更処理の内容に前記第１フラグがオンにされたことを示す情報を含んで前記無線中継機に送信する、
付記３に記載の無線親機。
【０１０４】
（付記５）
前記制御部は、前記暗号化キーを変更した場合、暗号化キー変更を示す第２フラグをオンにし、前記変更処理の内容に前記第２フラグがオンにされたことを示す情報を含んで前記無線中継機に送信する、
付記３又は４に記載の無線親機。
【０１０５】
（付記６）
無線親機を識別する識別子と暗号化を行うための暗号化キーとを含む設定情報に基づき、前記無線親機との無線通信を行う中継機側無線通信部と、
前記中継機側無線通信部において前記無線親機から前記設定情報の少なくとも一部の変更処理の内容を受信した場合、前記設定情報を変更することで、前記変更処理された設定情報である変更設定情報に基づく前記無線親機との無線接続を確立させる中継機側制御部と、
を備えた、無線中継機。
【０１０６】
（付記７）
前記中継機側制御部は、前記中継機側無線通信部において前記無線親機から前記設定情報の少なくとも一部の変更処理の内容を受信した場合、一時的な設定情報による無線接続要求を前記中継機側無線通信部に送信させ、前記無線接続要求に対する応答として前記変更処理がなされた設定情報である変更設定情報を前記無線親機から受信した場合、前記変更設定情報に基づく前記無線親機との無線接続を確立させる、
付記６に記載の無線中継機。
【０１０７】
（付記８）
前記中継機側制御部は、前記変更処理の内容が、以前に無線接続を確立した前記無線親機であることを示す情報を含んでいる場合に、前記無線接続要求を送信させる、
付記７に記載の無線中継機。
【０１０８】
（付記９）
付記１に記載の無線親機と、付記６から８のいずれか１項に記載の無線中継機と、を備えた、無線通信システム。
【０１０９】
（付記１０）
付記１から５のいずれか１項に記載の無線親機と、付記６に記載の無線中継機と、を備えた、無線通信システム。
【０１１０】
（付記１１）
無線親機を識別するための識別子と暗号化を行うための暗号化キーとを含む設定情報に基づき、他の無線通信装置との無線通信を行う無線通信部と、
前記設定情報の少なくとも一部の変更処理を実行した場合、前記変更処理の内容を前記他の無線通信装置に送信し、前記変更処理された設定情報である変更設定情報に基づく前記他の無線通信装置との無線接続を確立させる制御部と、
を備え、
前記制御部は、前記他の無線通信装置が前記設定情報を変更したことを検出した場合、検出した変更に従い、自機に変更後の前記設定情報を反映する、
無線通信装置。
【０１１１】
（付記１２）
無線親機が、自機を識別するための識別子と暗号化を行うための暗号化キーとを含む設定情報に基づき、無線中継機との無線通信を行うステップと、
前記無線親機が、前記設定情報の少なくとも一部の変更処理を実行した場合、前記変更処理の内容を前記無線中継機に送信し、前記変更処理された設定情報である変更設定情報に基づく前記無線中継機との無線接続を確立させるステップと、
を備えた無線通信方法。
【０１１２】
（付記１３）
前記確立させるステップは、
前記無線親機が、前記変更処理の内容の送信に対する応答として、前記無線中継機から一時的な設定情報による無線接続要求を受信するステップと、
前記無線親機が、前記無線接続要求に対する応答として、一時的な無線接続を確立させ、前記一時的な無線接続がなされた状態で前記無線中継機への前記変更設定情報の送信を実行させ、前記変更設定情報に基づく前記無線中継機との無線接続を確立させるステップと、
を含む、
付記１２に記載の無線通信方法。
【０１１３】
（付記１４）
無線中継機が、無線親機を識別する識別子と暗号化を行うための暗号化キーとを含む設定情報に基づき、前記無線親機との無線通信を行うステップと、
前記無線中継機が、前記無線親機から前記設定情報の少なくとも一部の変更処理の内容を受信した場合、前記設定情報を変更することで、前記変更処理された設定情報である変更設定情報に基づく前記無線親機との無線接続を確立させるステップと、
を備えた、無線通信方法。
【０１１４】
（付記１５）
前記確立させるステップは、
前記無線中継機が、前記無線親機から前記設定情報の少なくとも一部の変更処理の内容を受信した場合、一時的な設定情報による無線接続要求を送信するステップと、
前記無線接続要求に対する応答として前記変更処理がなされた設定情報である変更設定情報を前記無線親機から受信した場合、前記変更設定情報に基づく前記無線親機との無線接続を確立させるステップと、
を含む、
付記１４に記載の無線通信方法。
【０１１５】
（付記１６）
無線親機に備えられた制御コンピュータに、
自機を識別するための識別子と暗号化を行うための暗号化キーとを含む設定情報に基づき、無線中継機との無線通信を行うステップと、
前記設定情報の少なくとも一部の変更処理を実行した場合、前記変更処理の内容を前記無線中継機に送信し、前記変更処理された設定情報である変更設定情報に基づく前記無線中継機との無線接続を確立させるステップと、
を実行させるためのプログラム。
【０１１６】
（付記１７）
前記確立させるステップは、
前記変更処理の内容の送信に対する応答として、前記無線中継機から一時的な設定情報による無線接続要求を受信するステップと、
前記無線接続要求に対する応答として、一時的な無線接続を確立させ、前記一時的な無線接続がなされた状態で前記無線中継機への前記変更設定情報の送信を実行させ、前記変更設定情報に基づく前記無線中継機との無線接続を確立させるステップと、
を含む、
付記１６に記載のプログラム。
【０１１７】
（付記１８）
無線中継機に備えられた制御コンピュータに、
無線親機を識別する識別子と暗号化を行うための暗号化キーとを含む設定情報に基づき、前記無線親機との無線通信を行うステップと、
前記無線親機から前記設定情報の少なくとも一部の変更処理の内容を受信した場合、前記設定情報を変更することで、前記変更処理された設定情報である変更設定情報に基づく前記無線親機との無線接続を確立させるステップと、
を実行させるためのプログラム。
【０１１８】
（付記１９）
前記確立させるステップは、
前記無線親機から前記設定情報の少なくとも一部の変更処理の内容を受信した場合、一時的な設定情報による無線接続要求を送信するステップと、
前記無線接続要求に対する応答として前記変更処理がなされた設定情報である変更設定情報を前記無線親機から受信した場合、前記変更設定情報に基づく前記無線親機との無線接続を確立させるステップと、
を含む、
付記１８に記載のプログラム。
【符号の説明】
【０１１９】
１  無線親機
１ａ  無線親機の制御部
１ｂ  無線親機の無線通信部
２  無線中継機
２ａ  無線中継機の制御部
２ｂ  無線中継機の無線通信部
１０  無線ＬＡＮ親機
１１  無線ＬＡＮ親機の制御部
１２  無線ＬＡＮ親機の無線通信部
１３  無線ＬＡＮ親機の記憶部
２０  無線ＬＡＮ中継機
２１  無線ＬＡＮ中継機側の制御部
２２  無線ＬＡＮ中継機側の無線通信部
２３  無線ＬＡＮ中継機側の記憶部
１００  無線通信装置
１０１  プロセッサ
１０２  メモリ
１０３  通信インタフェース
【図１】
2020099025.tif 000003
【図２】
2020099025.tif 000004
【図３】
2020099025.tif 000005
【図４】
2020099025.tif 000006
【図５】
2020099025.tif 000007
【図６】
2020099025.tif 000008
【図７】
2020099025.tif 000009
【図８】
2020099025.tif 000010
【図９】
2020099025.tif 000011
【図１０】
2020099025.tif 000012
【図１１】
2020099025.tif 000013